(57)【要約】      （修正有）【課題】設置工事を簡単、迅速にできるようにして、工期の短縮化、コストの低廉化を図れる太陽電池パネルの支持架台を提供する。【解決手段】太陽電池パネル１を傾斜状に設置するのに使用する支持架台である。パネル１の一端側の枠部１ａに対応して設置する角柱状の第１の土台２と、パネル１の他端側の枠部１ｂに対応して設置する角柱状の第２の土台３と、第１の土台２に固定してパネル１の一端側を支持する第１の支持部材４と、第２の土台３に固定してパネル１の他端側を支持する第２の支持部材５とを備える。第１の支持部材４と第２の支持部材５の下部を、第１の土台２と第２の土台３に嵌合可能に形成すると共に、上部を、パネル１の一端側の枠部１ａと他端側の枠部１ｂに嵌合可能に形成する。【選択図】図１
0003194299.tif 000002
【実用新案登録請求の範囲】
【請求項１】
太陽電池パネルを傾斜状に設置するのに使用する支持架台であって、上記パネルの一端側の枠部に対応して設置される角柱状の第１の土台と、上記パネルの他端側の枠部に対応して設置される角柱状の第２の土台と、上記第１の土台に固定されて上記パネルの一端側を支持する第１の支持部材と、上記第２の土台に固定されて上記パネルの他端側を支持する第２の支持部材とを備え、上記第１の支持部材と第２の支持部材の下部が、上記第１の土台と第２の土台に嵌合可能に形成されていると共に、上部が、上記パネルの一端側の枠部と他端側の枠部に嵌合可能に形成されていることを特徴とする太陽電池パネルの支持架台。
【請求項２】
請求項１記載の太陽電池パネルの支持架台であって、第１の支持部材と第２の支持部材は、その下部が、断面凹溝状に形成されていると共に、この下部を嵌合させる第１の土台と第２の土台に、ボルトとナットで固定されることを特徴とする太陽電池パネルの支持架台。
【請求項３】
請求項１又は２記載の太陽電池パネルの支持架台であって、太陽電池パネルを縦横に連結するための第３の支持部材を備え、この第３の支持部材は、一方側の起立部分が短く、反対側の起立部分が長く形成され、下部が、第１の土台又は第２の土台に嵌合可能に形成されていると共に、上部が、太陽電池パネルの枠部に嵌合可能に形成されていることを特徴とする太陽電池パネルの支持架台。
【考案の詳細な説明】
【技術分野】
【０００１】
本考案は、太陽電池パネルの支持架台に関し、更に詳しくは太陽電池パネルを屋上等に設置するのに好適なよう形成した太陽電池パネルの支持架台に関する。
【背景技術】
【０００２】
従来、この種のパネルの施工法は、先ず陸屋根の防水層を剥がして撤去し、次にアンカーを固定して基礎コンクリートを打設し、その後、防水層を施工して架台を設け、この架台に太陽電池パネル（モジュール）を取り付ける方法が一般的であった。
【０００３】
またブロックで架台を形成する従来技術としては、例えば特許文献１に記載されているものが知られている。
この従来技術は、所定位置にブロックを複数配置し、このブロックの上に断面L字形のフレーム材を渡して組み、この架台の上に太陽電池モジュールを設けるよう形成されている。
【０００４】
而して、このような各従来法の場合は、陸屋根の防水層の除去作業や、コンクリートの打設作業、また特許文献１の従来法の場合もフレーム材同士を連結したり、フレーム材をブロックに固定する作業等を伴うものであった。
従って、従来法の場合は、太陽電池パネルの設置作業に多大な手間暇やコストがかかるのを避けられない、という問題点があった。
【先行技術文献】
【特許文献】
【０００５】
【特許文献１】特開平１１−１７７１１４号公報
【考案の概要】
【考案が解決しようとする課題】
【０００６】
本考案は、このような従来技術の問題点に鑑み、提案されたものである。
従って、本考案の解決しようとする技術的課題は、太陽電池パネルの設置工事を、簡単、迅速にできるようにして、工期の短縮化、コストの低廉化を図ることができるよう形成した太陽電池パネルの支持架台を提供することにある。
【課題を解決するための手段】
【０００７】
本考案は、上記の課題を解決するために、次のような技術的手段を採る。
即ち、本考案は、図１等に示されるように、太陽電池パネル１を傾斜状に設置するのに使用する支持架台であって、上記パネル１の一端側の枠部１ａに対応して設置される角柱状の第１の土台２と、上記パネル１の他端側の枠部１ｂに対応して設置される角柱状の第２の土台３と、上記第１の土台２に固定されて上記パネル１の一端側を支持する第１の支持部材４と、上記第２の土台３に固定されて上記パネル１の他端側を支持する第２の支持部材５とを備え、上記第１の支持部材４と第２の支持部材５の下部４ｂ、５ｂが、上記第１の土台２と第２の土台３に嵌合可能に形成されていると共に、上部４ｄ、５ｄが、上記パネル１の一端側の枠部１ａと他端側の枠部１ｂに嵌合可能に形成されていることを特徴とする（請求項１）。
【０００８】
而して、本考案の場合、第１の支持部材４と第２の支持部材５は、その下部４ｂ、５ｂが、断面凹溝状に形成されていると共に、この下部４ｂ、５ｂを嵌合させる第１の土台２と第２の土台３に、ボルト６とナット７で固定されるのが好ましい（請求項２）。
【０００９】
なぜならこの場合は、第１の土台２と第２の土台３の重みで第１の支持部材４と第２の支持部材５を押さえ、ボルト６とナット７で迅速且つ堅固に第１の支持部材４と第２の支持部材５を固定できるからである。
【００１０】
また本考案は、太陽電池パネル１を縦横に連結するための第３の支持部材１２を備え、この第３の支持部材１２は、一方側の起立部分１２ａが短く、反対側の起立部分１２ａが長く形成され、下部１２ｂが、第１の土台２又は第２の土台３に嵌合可能に形成されていると共に、上部１２ｄが、太陽電池パネル１の枠部に嵌合可能に形成されているのが好ましい（請求項３）。
【００１１】
なぜならこの場合は、複数の太陽電池パネル１を、連結用の部品を増やすことなく、簡単、迅速に連結できるからである。
【考案の効果】
【００１２】
本考案は、このように形成されているから、第１の支持部材と第２の支持部材の下部を、第１の土台と第２の土台に嵌合し、上部を、太陽電池パネルの一端側の枠部と他端側の枠部に嵌合することで太陽電池パネルを傾斜状に設置できる。
【００１３】
従って、本考案の場合は、打設コンクリートの乾燥等を待つ必要がないから、太陽電池パネルの設置工事を、施工日の当日、完了することができる。
それ故、これによれば、太陽電池パネルの設置工事を、簡単、迅速にでき、工期の短縮化、コストの低廉化を図ることができる。
【図面の簡単な説明】
【００１４】
【図１】本考案の支持架台の好適な一実施形態を示す斜視図である。
【図２】同上架台の平面図である。
【図３】同上架台の側面図である。
【図４】同上架台の使用状態を説明するための要部分解斜視図である。
【図５】同上架台の使用状態を説明するための要部分解側面図である。
【図６】同上架台の使用状態を説明するための要部側面図である。
【図７】同上架台の使用状態を説明するための要部斜視図である。
【図８】同上架台の使用状態を説明するための要部平面図である。
【図９】同上架台の使用状態を説明するための要部分解斜視図である。
【図１０】同上架台の使用状態を説明するための要部平面図である。
【図１１】同上架台の使用状態を説明するための要部側面図である。
【図１２】同上架台の使用状態を説明するための要部斜視図である。
【図１３】同上架台の他の実施形態を示す要部側面図である。
【図１４】図１３の実施形態の要部斜視図である。
【図１５】図１３の実施形態の要部分解斜視図である。
【図１６】図１３の実施形態の要部分解側面図である。
【図１７】同上架台の使用状態を説明するための要部平面図である。
【図１８】同上架台の使用状態を説明するための要部斜視図である。
【図１９】同上架台の使用状態を説明するための要部斜視図である。
【図２０】挿し込み金具の分解斜視図である。
【図２１】挿し込み金具の組立時の側面図である。
【図２２】挿し込み金具の組立時の平面図である。
【考案を実施するための形態】
【００１５】
以下、本考案の好適な一実施形態を、添付図面に従って説明する。
本考案は、図１等に示されるように、太陽電池パネル１を傾斜状に設置するのに使用する支持架台である。
【００１６】
本考案の支持架台は、上記パネル１の一端側の枠部１ａに対応して設置される角柱状の第１の土台２と、上記パネル１の他端側の枠部１ｂに対応して設置される角柱状の第２の土台３と、上記第１の土台２に固定されて上記パネル１の一端側を支持する第１の支持部材４と、上記第２の土台３に固定されて上記パネル１の他端側を支持する第２の支持部材５とを備えて形成されている。
【００１７】
第１の土台２と第２の土台３は、重りとして機能するものである。この第１の土台２と第２の土台３は、この実施形態では同一形状、同一重量であり、貫通孔２ａ、３ａがあけられている市販のコンクリートブロックである。また第１の支持部材４と第２の支持部材５は、この実施形態では帯板状の金属板で形成されている。そして、第１の支持部材４の垂直状の起立部分４ａは、第２の支持部材５の垂直状の起立部分５ａより長く形成されている。
【００１８】
また第１の支持部材４と第２の支持部材５の下部４ｂ、５ｂは、図４〜図１２等に示されるように、夫々第１の土台２と第２の土台３に嵌合可能になるよう、断面凹溝状に曲げ加工されている。また第１の支持部材４と第２の支持部材５の下部４ｂ、５ｂには、ボルト６を通すための孔４ｃ、５ｃが形成されている。
【００１９】
そして、第１の支持部材４と第２の支持部材５は、下部４ｂ、５ｂが第１の土台２と第２の土台３に嵌合されると共に、貫通孔２ａ、３ａにボルト６が通されてナット７で締め付けられることにより、第１の土台２と第２の土台３に固定可能に形成されている。
【００２０】
なお、この実施形態では、第１の土台２に第３の土台８が平行状に連結され、並設されている。この第３の土台８は、第１の土台２と協働して架台を重くし、風圧等の影響をより確実に抑えるためのものである。
【００２１】
第３の土台８は、凹溝状の連結金具９に嵌合され、ボルト６が第１の支持部材４の下部４ｂの孔４ｃを介して第１の土台２の貫通孔２ａに挿し込まれ、ナット７で締め付けられることにより、第１の土台２に固定されている。
【００２２】
また第１の支持部材４と第２の支持部材５の上部４ｄ、５ｄは、図１、図３等に示されるように、上記パネル１の一端側の枠部１ａと他端側の枠部１ｂに嵌合可能に形成されている。この実施形態では、第１の支持部材４と第２の支持部材５の水平に屈曲された舌片部４ｅ、５ｅにクランク形の板片１０が、舌片部４ｅ、５ｅと協働して嵌合用の断面コの字形を形作るよう、止め具１１で固定されている。止め具１１は、この実施形態ではボルトとナットである。
【００２３】
而して、太陽電池パネル１を縦横に複数連結する場合は、図１３〜図２２に示されるように、第１の支持部材４と第２の支持部材５の機能を併せ持つ第３の支持部材１２と、連結補助部材１３、及び挿し込み金具１４（図１７、図１８参照）を使用するのが良い。
【００２４】
第３の支持部材１２は、一方側の起立部分１２ａが短く、反対側の起立部分１２ａが長く形成されている。これにより、第３の支持部材１２の一方側の起立部分１２ａは、太陽電池パネル１の他端側を支持する、上記した第２の支持部材５として機能する。また第３の支持部材１２の反対側の、長く形成されている起立部分１２ａは、太陽電池パネル１の一端側を支持する、上記した第１の支持部材４として機能する。
【００２５】
また第３の支持部材１２は、第１の土台２（又は第２の土台３）に嵌合する凹溝状の下部１２ｂに、連結用の孔１２ｃが形成されている。そして上部１２ｄは、第１の支持部材４等と同様、舌片部１２ｅに形成され、クランク形の板片１０が止め具１１で固定されることにより、太陽電池パネル１に嵌合可能に形成されている。
【００２６】
この実施形態では、図１３〜図１６に示されるように、第３の土台８が２個並設されている。従って、第３の土台８に嵌合させる連結補助部材１３は、第３の土台８の個数に応じて幅が長く形成されている。第１の土台２（又は第２の土台３）と第３の土台８は、連結補助部材１３に取り付けられるボルト状部材１５の先端部に、ナット１６が締め付けられることにより連結される。
【００２７】
なお、このように第３の土台８が複数並設される場合は、その分、架台の重量が増加するため、風圧や地震等の振動に対する耐性を向上でき、屋上等の設置箇所に太陽電池パネル１を、より堅固且つ確実に設置できる。
【００２８】
また挿し込み金具１４は、図１８〜図２２に示されるように、上板片１４ａ、下板片１４ｂ、これらを上下の間隔を調節して連結するためのボルト１４ｃとナット１４ｄとを備えて形成されている。
【００２９】
上板片１４ａは、鉤形に屈曲され、太陽電池パネル１の連結部分の隙間Ｓの側部を閉塞可能に形成されている。また下板片１４ｂは、平板状に形成され、ボルト１４ｃは上板片１４ａ、下板片１４ｂの短幅方向の中央位置において、上板片１４ａ、下板片１４ｂの長手方向に沿って所定の間隔をあけて配置されている。そして、上板片１４ａ、下板片１４ｂは、ボルト１４ｃにナット１４ｄが締め付けられることにより、連結可能に形成されている。
【００３０】
挿し込み金具１４は、図１８に示されるように、ボルト１４ｃが上記の隙間Ｓに入り込むように挿し込まれる。そして作業者が、ナット１４ｄを締め付けることにより、隣り合う太陽電池パネル１が挿し込み金具１４で堅固に連結される。
【符号の説明】
【００３１】
１    太陽電池パネル
１ａ  一端側の枠部
１ｂ  他端側の枠部
２    第１の土台
３    第２の土台
４    第１の支持部材
４ｂ  下部
４ｄ  上部
５    第２の支持部材
５ｂ  下部
５ｄ  上部
【図１】
0003194299.tif 000003
【図２】
0003194299.tif 000004
【図３】
0003194299.tif 000005
【図４】
0003194299.tif 000006
【図５】
0003194299.tif 000007
【図６】
0003194299.tif 000008
【図７】
0003194299.tif 000009
【図８】
0003194299.tif 000010
【図９】
0003194299.tif 000011
【図１０】
0003194299.tif 000012
【図１１】
0003194299.tif 000013
【図１２】
0003194299.tif 000014
【図１３】
0003194299.tif 000015
【図１４】
0003194299.tif 000016
【図１５】
0003194299.tif 000017
【図１６】
0003194299.tif 000018
【図１７】
0003194299.tif 000019
【図１８】
0003194299.tif 000020
【図１９】
0003194299.tif 000021
【図２０】
0003194299.tif 000022
【図２１】
0003194299.tif 000023
【図２２】
0003194299.tif 000024